(57)【要約】【課題】  本発明はぐらつかずに素早く組立てることができるバーベキューコンロを新規に提供するものである。【解決手段】  本発明は、バーベキューコンロをぐらつくことなしに容易に組立てるため、パイプ材にてなる２個のコ形折曲体をクロス組付けして上端にコンロの重量圧により外開き性向を有す水平軸部を設けた正面視Ｘ形の支持脚を形成し、コンロの底面下の両側に該２本の水平軸部を外開きしないように挟み止めする外板付の外受け金物を設けたバーベキューコンロにある。【選択図】図１
2012045033.tif 000002
【特許請求の範囲】
【請求項１】
バーベキューコンロをぐらつかずに素早く組立てるために、パイプ材にてなる２個のコ形折曲体をクロス組付けして上端にコンロの重量圧により外開き性向を有す水平軸部を設けた正面視Ｘ形の支持脚を形成し、コンロの底面下の両側に該２本の水平軸部を外開きしないように挟み止めする外板付の外受け金物を設けたことを特徴とするバーベキューコンロ。
【請求項２】
外受け金物はコンロの底面下の両側に内外２枚ずつにて設ける請求項１に記載のバーベキューコンロ。
【請求項３】
支持脚を組立て可能な分割体にて形成して、分割した縦脚部を長短することでコンロの支持位置を高低し、また大小のコンロを支持可能とする請求項１または２に記載のバーベキューコンロ。
【発明の詳細な説明】
【技術分野】
【０００１】
この発明は、組立式のバーベキューコンロに関するものである。
【背景技術】
【０００２】
この種のバーベキューコンロとしては特開平１１−１４６８３６号公報がある。該公報は４本の垂直脚７の上端をコンロ１の底面下に各別につまみ付のネジ１０にて締め止めてコンロを支持することを記載している。
【先行技術文献】
【特許文献】
【０００３】
【特許文献１】特開平１１−１４６８３６号公報
【発明の概要】
【発明が解決しようとする課題】
【０００４】
しかしながら、ネジ１０による締め止めは図１からわかるように垂直脚７がネジ１０の部分をもとにぐらついてコンロを不安定にするという課題がある。
【課題を解決するための手段】
【０００５】
本発明は、バーベキューコンロをぐらつかずに素早く組立てるために、パイプ材にてなる２個のコ形折曲体をクロス組付けして上端にコンロの重量圧により外開き性向を有す水平軸部を設けた正面視Ｘ形の支持脚を形成し、コンロの底面下の両側に該２本の水平軸部を外開きしないように挟み止めする外板付の外受け金物を設けて、かかる課題を解決するようにしたのである。
【発明の効果】
【０００６】
本発明は、コンロを支持脚上の２本の水平軸部に挟み止め載上するのみにて簡単にバーベキューコンロを組立て得るという効果を生ずる。
【０００７】
コンロの重量圧により外開き性向の２本の水平軸部を外板付の外受け金物にて外開きしないように挟み止めすることで、コンロは外開き圧を伴って強固に挟み止められて全くぐらつかないという効果を生ずる。
【０００８】
コンロ下の外受け金物を内外２枚ずつにて設けて２本の水平軸部の挟み止め幅を変えることでバーベキューコンロの高さを高低調節することができ、また大小のコンロを支持することができるという効果を生ずる。
【０００９】
支持脚を分割体にして縦脚を長短することで、バーベキューコンロの高さを高低させることと、大小のコンロを支持することができるという効果を生ずる。
【図面の簡単な説明】
【００１０】
【図１】コンロと外受け金物および支持脚の水平軸部の各作用を矢印にて示す部分拡大正面図
【図２】同、コンロと支持脚の展開と折畳み状態を各別に示す正面図
【図３】同、バーベキューコンロの組立て状態を示す正面図
【図４】コンロの底面下に内外２枚ずつにて外受け金物を設けた第２実施例の正面図で、左図は内側の外受け金物にて水平軸部を挟み止めてコンロを高く調整した状態、右図は外側の外受け金物にて挟み止めて低く調節した状態を示している。
【図５】支持脚をクロス十字部，短足のコ形部，長短の縦脚部に組立て可能に分割形成した第３実施例を示す正面図
【符号の説明】
【００１１】
１はコンロ
２は外受け金物
２ａは外板
３は支持脚
３ａはコ形折曲体
３ｂは枢止軸
３ｃは上端の水平軸部
３ｄはクロス十字部
３ｅは短足のコ形部
３ｆ，３ｇは上下の縦脚部
４はバーベキューコンロ
【発明を実施するための形態】
【００１２】
本発明は、バーベキューコンロをぐらつかずに強固に組立てることができるように、パイプ材にてなる２個のコ形折曲体を交叉状にクロス組付けして正面視Ｘ形をした支持脚を形成し、コンロの底面下の両側に該支持脚の上端の水平軸部を挟み止めする外板付の外受け金物を設けて該コンロを支持脚上に挟み止め載上してバーベキューコンロを組立てるのである。
【実施例１】
【００１３】
図１乃至図３は第１実施例であって、コンロ１の底面下の両側に外板２ａ付の外受け金物２を設ける。支持脚３はパイプ材の折曲にて２個のコ形折曲体３ａ，３ａを形成し、これをクロス組付けして正面視Ｘ形とする。３ｂはクロス部中心の枢止軸である。
【００１４】
枢止軸３ｂをもとに折畳み展開自在とする支持脚３を図２に示すように展開して、図３に示すように上端の水平軸部３ｃ，３ｃを外受け金物２，２間に挟み止めしてコンロ１を支持脚３上に載せるのである。支持脚３の上端の水平軸部３ｃ，３ｃはその外面を外板２ａ，２ａにて外受けされて外開きすることが止められるため、組立てられたバーベキューコンロ４はコンロ１の重量圧と水平軸部３ｃ，３ｃの外開き圧とおよび外板２ａによる抑え圧によって強固に組立てられてぐらつくことが全く生じないものとなる。
【００１５】
支持脚３はコンロ１の重量圧を受けることで上端の水平軸部３ｃ，３ｃは内側に縮まることがなく、もっぱら外開き圧が加わるが、この外開き圧を外板２ａ，２ａにて外受けして抑えることでコンロ１を強固に支持してぐらつかないものにすることができる。支持脚３がコンロ１を強固に支持することによって、コンロ１上には例えば鋳物鍋など重量のある鍋なども安定して載せることができることとなる。
【００１６】
このバーベキューコンロ４はコンロ１を持ち上げて外受け金物２，２を水平軸部３ｃ，３ｃから浮き離すことで簡単に分離することができ、また支持脚３も枢止軸３ｂをもとに折畳んでコンパクトにすることができる。
【実施例２】
【００１７】
図４は第２実施例で、コンロ１の底面下の両側に内外２枚ずつにて外受け金物２を取付け、同図の左図に示すように内側の外受け金物２，２間にて水平軸部３ｃ，３ｃを挟み止めするときは水平軸部３ｃ，３ｃ間が狭められて支持脚３の縦長を長くすることでコンロ１を高くすることができ、同、右図に示すように外側の外受け金物２，２間にて挟み止めするときはコンロ１を低く調節することができる。
【実施例３】
【００１８】
図５は第３実施例で、支持脚３を組立て可能においてクロス十字部３ｄ，短足のコ形部３ｅ，上下の縦脚部３ｆ，３ｇに分割して形成し、上下の縦脚部３ｆ，３ｇを長短することにより支持するコンロ１の高さを高低させることができるようにしたのである。また、大きさの大小した異なるコンロ１を支持することもできるものとなる。
【産業上の利用可能性】
【００１９】
本発明は、コンロの重量圧により外開き性向を持つように組付けした支持脚をコンロ下の外受け金物間にて挟み止め抑えすることで、バーベキューコンロを強固に組立ててぐらつかないものとする点で広く利用されるものである。
【図１】
2012045033.tif 000003
【図２】
2012045033.tif 000004
【図３】
2012045033.tif 000005
【図４】
2012045033.tif 000006
【図５】
2012045033.tif 000007